(57)【要約】【課題】情報記録媒体に記憶された映像の視聴状況によって、視聴を許可すべき保護された映像を柔軟に変更する。【解決手段】ＤＶＤ１０には、視聴可能な映像と、ロックされた映像のデータが記憶されている。クライアント端末２０は、ＤＶＤ１０から視聴可能な映像データを読み出して再生すると、映像データの視聴状況を示す視聴状況データを固有ＩＤとともに連動サーバ３０へ送信する。連動サーバ３０は、受信した視聴状況データと固有ＩＤとを対応づけて視聴ログとして蓄積し、この蓄積した視聴ログを解析することにより、クライアント端末２０が特定映像を視聴可能とする特定の条件を満たしているか否かの判定を行い、特定条件を満たしていると判断した場合、視聴可能とする特定映像をクライアント端末２０へ通知する。クライアント端末２０は、視聴可能な特定映像として通知された映像のデータのロックを解除し、再生可能とする。【選択図】図１
2008289042.tif 000002
【特許請求の範囲】
【請求項１】
情報記録媒体に記録された映像データを出力するクライアント端末と、前記クライアント端末における前記映像データの視聴ログを保持し、当該視聴ログに応じて保護された映像データの視聴を許可する連動サーバとをネットワークを介して接続してなるメディア再生システムであって、
前記情報記録媒体は、
視聴が許可された映像データと、視聴が許可されていない保護された映像データとを記録しており、
前記クライアント端末は、
前記情報記録媒体から、視聴が許可された映像データを読み出して出力するとともに、前記連動サーバから視聴を許可する映像データを特定する情報を受信し、前記情報記録媒体に記録されている保護された映像データのうち、受信した情報により特定される映像データの視聴を許可し、視聴が許可された当該映像データを読み出して出力する出力制御手段と、
前記出力制御手段により出力された映像データを特定する情報と、当該映像データに対して行われた再生、停止、早送り、巻き戻しのいずれかの操作の情報と、当該操作が行われたチャプタ内の位置の情報とを含む視聴状況データ、及び、当該クライアント端末を特定する固有識別子を前記連動サーバへ送信する通知手段と
を備え、
前記連動サーバは、
視聴を許可する映像データ及び当該映像データを許可するために満たすべき視聴状況の条件を示す判定データと、視聴状況データからなる視聴ログとを記憶する記憶手段と、
前記クライアント端末から視聴状況データ及び固有識別子を受信して前記記憶手段に書き込む書込み手段と、
前記クライアント端末から受信した固有識別子に対応した視聴状況データを前記記憶手段より読み出し、読み出した視聴状況データで示される映像データの視聴状況が、前記記憶手段内の判定データで示される条件を満たしているかを判断する判断手段と、
前記判断手段が条件を満たしていると判断した場合に、当該条件に対応して視聴を許可される映像データを特定する情報を前記クライアント端末へ通知する指示手段と
を備える、
ことを特徴とするメディア再生システム。
【請求項２】
前記判定データは、視聴を許可する映像データと、当該映像データを許可するために満たすべき視聴状況、及び、期間の条件とを示し、
前記判断手段は、読み出した前記視聴状況データで示される映像データの視聴状況、及び、現在の日時が、前記記憶手段内の判定データで示される条件を満たしているかを判断する、
ことを特徴とする請求項１に記載のメディア再生システム。
【請求項３】
前記判定データは、視聴を規制する映像データと、当該映像データの視聴を規制するために満たすべき視聴状況の条件とを示し、
前記判断手段は、前記クライアント端末から受信した固有識別子に対応した視聴状況データを前記記憶手段より読み出し、読み出した視聴状況データで示される映像データの視聴状況が、前記判定データで示される、視聴を規制するための視聴状況の条件を満たしているかを判断し、
前記指示手段は、前記判断手段が視聴を規制するための条件を満たしていると判断した場合に、当該条件に対応して視聴を規制する映像データを特定する情報を前記クライアント端末へ通知し、
前記出力手段は、前記連動サーバから視聴を規制する映像データを特定する情報を受信し、前記情報記録媒体内の視聴が許可されている映像データのうち、受信した情報により特定される映像データの出力を規制する、
ことを特徴とする請求項１または請求項２に記載のメディア再生システム。
【請求項４】
前記判定データは、さらに、アクセスを許可するコンテンツ及び当該コンテンツへのアクセスを許可するために満たすべき視聴状況の条件を示し、
前記判断手段は、前記クライアント端末から固有識別子とコンテンツへのアクセス要求をと受信し、受信した固有識別子に対応した視聴状況データを前記記憶手段より読み出し、前記判定データを参照して、読み出した視聴状況データで示される映像データの視聴状況が、要求されたコンテンツのアクセスを許可するための条件を満たしているかを判断し、
前記連動サーバは、前記判断手段が要求されたコンテンツのアクセスを許可するための条件を満たしていると判断した場合に、要求された前記コンテンツのデータを前記クライアント端末へ送信する配信手段をさらに備える、
ことを特徴とする請求項１から請求項３のいずれかの項に記載のメディア再生システム。
【請求項５】
前記判定データは、さらに、提供すべきコンテンツ及び当該コンテンツを提供するために満たすべき視聴状況の条件を示し、
前記判断手段は、前記クライアント端末から受信した固有識別子に対応した視聴状況データを前記記憶手段より読み出し、前記判定データを参照して、読み出した視聴状況データで示される映像データの視聴状況に対応した、提供すべきコンテンツを特定し、
前記連動サーバは、前記判断手段が特定した提供すべきコンテンツのデータを前記クライアント端末へ送信する配信手段をさらに備える、
ことを特徴とする請求項１から請求項３のいずれかの項に記載のメディア再生システム。
【請求項６】
前記判断手段は、前記クライアント端末から受信した固有識別子と同じグループに属する固有識別子に対応した視聴状況データを前記記憶手段より読み出し、読み出した視聴状況データから視聴状況を得ることを特徴とする請求項１から請求項５のいずれかの項に記載のメディア再生システム。
【請求項７】
情報記録媒体に記録された映像データを出力するクライアント端末と、前記クライアント端末における前記映像データの視聴ログを保持し、当該視聴ログに応じて保護された映像データの視聴を許可する連動サーバとをネットワークを介して接続してなるメディア再生システムにおけるメディア再生方法であって、
前記情報記録媒体は、
視聴が許可された映像データと、視聴が許可されていない保護された映像データとを記録し、
前記連動サーバは、
視聴を許可する映像データ及び当該映像データを許可するために満たすべき視聴状況の条件を示す判定データと、視聴状況データからなる視聴ログとを記憶する記憶手段を備えており、
前記クライアント端末において、
出力制御手段が、前記情報記録媒体から視聴が許可された映像データを読み出して出力する過程と、
通知手段が、前記出力制御手段により出力された映像データを特定する情報と、当該映像データに対して行われた再生、停止、早送り、巻き戻しのいずれかの操作の情報と、当該操作が行われたチャプタ内の位置の情報とを含む視聴状況データ、及び、当該クライアント端末を特定する固有識別子を前記連動サーバへ送信する過程と、
前記連動サーバにおいて、
書込み手段が、前記クライアント端末から視聴状況データ及び固有識別子を受信して前記記憶手段に書き込む過程と、
判断手段が、前記クライアント端末から受信した固有識別子に対応した視聴状況データを前記記憶手段より読み出し、読み出した視聴状況データで示される映像データの視聴状況が、前記記憶手段内の判定データで示される条件を満たしているかを判断する過程と、
指示手段が、前記判断手段が条件を満たしていると判断した場合に、当該条件に対応して視聴を許可される映像データを特定する情報を前記クライアント端末へ通知する過程と、
前記クライアント端末において、
前記出力制御手段が、前記連動サーバから視聴を許可する映像データを特定する情報を受信し、前記情報記録媒体に記録されている保護された映像データのうち、受信した情報により特定される映像データの視聴を許可し、視聴が許可された当該映像データを読み出して出力する過程と、
を有することを特徴とするメディア再生方法。
【発明の詳細な説明】
【技術分野】
【０００１】
本発明は、メディア再生システム及び方法に関する。
【背景技術】
【０００２】
従来、映像メディアに収録されている保護された映像を、特定のユーザにのみ視聴可能にする方法として、保護解除用のパスワードを入力させる方法などがある。例えば、図１６に示すように、ＤＶＤ（Digital Versatile Disk）などの情報記録媒体に、保護されていない映像１、２、３と、保護された特別映像Ａ、Ｂとが記録されているとする。保護された特別映像Ａ、Ｂは、ロックがかけられた特典映像や有料映像などであり、サービスを多く利用した人や、視聴料金を払った人にキーワードやパスワードを通知し、これがパーソナルコンピュータなどのメディア再生装置に入力された場合に、この保護された特別映像Ａ、Ｂのロックを解除して視聴可能にする。また、インターネットを用いて、特定のユーザのみ閲覧可能なようにウェブページを表示させるには、認証用のユーザＩＤとパスワードを用いて認証を行っている。
【０００３】
一方、特許文献１には、可搬型メディアの利用履歴に応じて、当該可搬型メディア内に記録されているデータのうち表示・出力を行う対象を選択するとともに、選択したデータの表示・出力方法を変化させることが記載されている。また、特許文献２には、ＤＶＤ−ＲＯＭに記録されている制御情報に従ってマルチメディア情報を読み出す再生モードと、外部サーバからマルチメディア情報再生装置にロードしたプログラムに基づきマルチメディア情報を読み出す再生モードとを適宜切り替え、ＤＶＤ−ＲＯＭから読み出したマルチメディア情報をデコードして、映像及び音声を出力することや、高額料金契約者のみに特典映像やプレゼント映像が視聴できるように制御データを設定することが記載されている。
【特許文献１】特許第３８１４３７０号明細書
【特許文献２】特許第３５９０５７７号明細書
【発明の開示】
【発明が解決しようとする課題】
【０００４】
上述したような、ＤＶＤに記録されている保護された映像を、キーワードやパスワードにより解除する方法では、ロックされた映像と、キーワードやパスワードとが予め関連付けられて記録されており、ロックを解除する対象の映像を視聴状況から柔軟に変更することはできなかった。また、例えば、ある映像が８割視聴された場合など、映像がどこまで視聴されたかの割合によってロックを解除する対象を決定することは行っていなかった。
しかし、特許文献１及び２の技術は、このような問題を解決するものではない。
【０００５】
本発明は上記事情に鑑みてなされたものであり、ＤＶＤなどの情報記録媒体に記憶された映像の各ユーザの視聴状況によって、当該各ユーザへ視聴を許可すべき保護された映像を柔軟に変更することができるメディア再生システム及び方法を提供することを目的とする。
【課題を解決するための手段】
【０００６】
上記目的を達成するために、請求項１に記載の発明は、情報記録媒体に記録された映像データを出力するクライアント端末と、前記クライアント端末における前記映像データの視聴ログを保持し、当該視聴ログに応じて保護された映像データの視聴を許可する連動サーバとをネットワークを介して接続してなるメディア再生システムであって、前記情報記録媒体は、視聴が許可された映像データと、視聴が許可されていない保護された映像データとを記録しており、前記クライアント端末は、前記情報記録媒体から、視聴が許可された映像データを読み出して出力するとともに、前記連動サーバから視聴を許可する映像データを特定する情報を受信し、前記情報記録媒体に記録されている保護された映像データのうち、受信した情報により特定される映像データの視聴を許可し、視聴が許可された当該映像データを読み出して出力する出力制御手段と、前記出力制御手段により出力された映像データを特定する情報と、当該映像データに対して行われた再生、停止、早送り、巻き戻しのいずれかの操作の情報と、当該操作が行われたチャプタ内の位置の情報とを含む視聴状況データ、及び、当該クライアント端末を特定する固有識別子を前記連動サーバへ送信する通知手段とを備え、前記連動サーバは、視聴を許可する映像データ及び当該映像データを許可するために満たすべき視聴状況の条件を示す判定データと、視聴状況データからなる視聴ログとを記憶する記憶手段と、前記クライアント端末から視聴状況データ及び固有識別子を受信して前記記憶手段に書き込む書込み手段と、前記クライアント端末から受信した固有識別子に対応した視聴状況データを前記記憶手段より読み出し、読み出した視聴状況データで示される映像データの視聴状況が、前記記憶手段内の判定データで示される条件を満たしているかを判断する判断手段と、前記判断手段が条件を満たしていると判断した場合に、当該条件に対応して視聴を許可される映像データを特定する情報を前記クライアント端末へ通知する指示手段とを備える、ことを特徴とするメディア再生システムである。
【０００７】
請求項２に記載の発明は、請求項１に記載のメディア再生システムであって、前記判定データは、視聴を許可する映像データと、当該映像データを許可するために満たすべき視聴状況、及び、期間の条件とを示し、前記判断手段は、読み出した前記視聴状況データで示される映像データの視聴状況、及び、現在の日時が、前記記憶手段内の判定データで示される条件を満たしているかを判断する、ことを特徴とする。
【０００８】
請求項３に記載の発明は、請求項１または請求項２に記載のメディア再生システムであって、前記判定データは、視聴を規制する映像データと、当該映像データの視聴を規制するために満たすべき視聴状況の条件とを示し、前記判断手段は、前記クライアント端末から受信した固有識別子に対応した視聴状況データを前記記憶手段より読み出し、読み出した視聴状況データで示される映像データの視聴状況が、前記判定データで示される、視聴を規制するための視聴状況の条件を満たしているかを判断し、前記指示手段は、前記判断手段が視聴を規制するための条件を満たしていると判断した場合に、当該条件に対応して視聴を規制する映像データを特定する情報を前記クライアント端末へ通知し、前記出力手段は、前記連動サーバから視聴を規制する映像データを特定する情報を受信し、前記情報記録媒体内の視聴が許可されている映像データのうち、受信した情報により特定される映像データの出力を規制する、ことを特徴とする。
【０００９】
請求項４に記載の発明は、請求項１から請求項３のいずれかの項に記載のメディア再生システムであって、前記判定データは、さらに、アクセスを許可するコンテンツ及び当該コンテンツへのアクセスを許可するために満たすべき視聴状況の条件を示し、前記判断手段は、前記クライアント端末から固有識別子とコンテンツへのアクセス要求をと受信し、受信した固有識別子に対応した視聴状況データを前記記憶手段より読み出し、前記判定データを参照して、読み出した視聴状況データで示される映像データの視聴状況が、要求されたコンテンツのアクセスを許可するための条件を満たしているかを判断し、前記連動サーバは、前記判断手段が要求されたコンテンツのアクセスを許可するための条件を満たしていると判断した場合に、要求された前記コンテンツのデータを前記クライアント端末へ送信する配信手段をさらに備える、ことを特徴とする。
【００１０】
請求項５に記載の発明は、請求項１から請求項３のいずれかの項に記載のメディア再生システムであって、前記判定データは、さらに、提供すべきコンテンツ及び当該コンテンツを提供するために満たすべき視聴状況の条件を示し、前記判断手段は、前記クライアント端末から受信した固有識別子に対応した視聴状況データを前記記憶手段より読み出し、前記判定データを参照して、読み出した視聴状況データで示される映像データの視聴状況に対応した、提供すべきコンテンツを特定し、前記連動サーバは、前記判断手段が特定した提供すべきコンテンツのデータを前記クライアント端末へ送信する配信手段をさらに備える、ことを特徴とする。
【００１１】
請求項６に記載の発明は、請求項１から請求項５のいずれかの項に記載のメディア再生システムであって、前記判断手段は、前記クライアント端末から受信した固有識別子と同じグループに属する固有識別子に対応した視聴状況データを前記記憶手段より読み出し、読み出した視聴状況データから視聴状況を得ることを特徴とする。
【００１２】
請求項７に記載の発明は、情報記録媒体に記録された映像データを出力するクライアント端末と、前記クライアント端末における前記映像データの視聴ログを保持し、当該視聴ログに応じて保護された映像データの視聴を許可する連動サーバとをネットワークを介して接続してなるメディア再生システムにおけるメディア再生方法であって、前記情報記録媒体は、視聴が許可された映像データと、視聴が許可されていない保護された映像データとを記録し、前記連動サーバは、視聴を許可する映像データ及び当該映像データを許可するために満たすべき視聴状況の条件を示す判定データと、視聴状況データからなる視聴ログとを記憶する記憶手段を備えており、前記クライアント端末において、出力制御手段が、前記情報記録媒体から視聴が許可された映像データを読み出して出力する過程と、通知手段が、前記出力制御手段により出力された映像データを特定する情報と、当該映像データに対して行われた再生、停止、早送り、巻き戻しのいずれかの操作の情報と、当該操作が行われたチャプタ内の位置の情報とを含む視聴状況データ、及び、当該クライアント端末を特定する固有識別子を前記連動サーバへ送信する過程と、前記連動サーバにおいて、書込み手段が、前記クライアント端末から視聴状況データ及び固有識別子を受信して前記記憶手段に書き込む過程と、判断手段が、前記クライアント端末から受信した固有識別子に対応した視聴状況データを前記記憶手段より読み出し、読み出した視聴状況データで示される映像データの視聴状況が、前記記憶手段内の判定データで示される条件を満たしているかを判断する過程と、指示手段が、前記判断手段が条件を満たしていると判断した場合に、当該条件に対応して視聴を許可される映像データを特定する情報を前記クライアント端末へ通知する過程と、前記クライアント端末において、前記出力制御手段が、前記連動サーバから視聴を許可する映像データを特定する情報を受信し、前記情報記録媒体に記録されている保護された映像データのうち、受信した情報により特定される映像データの視聴を許可し、視聴が許可された当該映像データを読み出して出力する過程と、を有することを特徴とするメディア再生方法である。
【発明の効果】
【００１３】
請求項１及び７の発明によれば、クライアント端末における、情報記録媒体内の映像データの視聴状況が特定の条件を満たした場合、ユーザがそれまで視聴できなかった当該情報記録媒体内の特定映像を視聴可能とすることができ、この視聴可能な特定映像は、連動サーバ内の判定データが変更されることにより、各クライアント端末に特別な操作を行ったり、各情報記録媒体に予め個別の情報を書き込んだりする必要なく、即時に変更することができる。
請求項２の発明によれば、クライアント端末における、情報記録媒体内の映像データの視聴状況が特定の条件を満たした場合に、曜日や時間帯などによって視聴を許可する特定映像を変えることができる。
請求項３の発明によれば、クライアント端末における、情報記録媒体内の映像データの視聴状況が特定の条件を満たした場合、ユーザがそれまで視聴できていた当該情報記録媒体内の特定映像の視聴を規制することができ、この視聴を規制する特定映像は、連動サーバ内の判定データが変更されることにより、各クライアント端末に特別な操作を行ったり、即時に変更することができる。
請求項４の発明によれば、情報記録媒体内の映像データの視聴状況が特定条件を満たしているユーザのみに要求されたウェブページの閲覧を許可し、満たしていないユーザには閲覧を規制することが可能となる。
請求項５の発明によれば、ウェブページの表示要求までの、情報記録媒体内の映像データの視聴状況に応じて、提供する広告や記事の内容を変えることができるため、ユーザによる映像の視聴状況に合わせた、より効果的な広告や記事を提供することが可能となる。
請求項６の発明によれば、同じグループに属する他のユーザのクライアント端末における視聴状況を用いて、許可あるいは規制すべき映像データを判断したり、コンテンツへのアクセス許可を行ったり、提供するコンテンツや記事を選択したりすることが可能となる。
【発明を実施するための最良の形態】
【００１４】
以下、図面を参照して、本発明の一実施の形態について説明する。
まず、図１〜４を用いて、メディア再生システムの動作概要を説明する。
図１は、メディア再生システムにおける視聴状況データ蓄積の動作概要を示す図である。同図において、ユーザは、メディア再生装置としてのクライアント端末２０を保有しており、クライアント端末２０と連動サーバ３０とはインターネットなどのネットワークを介して接続される。クライアント端末２０には、マルチメディアプレイヤーのソフトウェアが実装されており、ＤＶＤ１０などの映像メディアに記録された映像データ、画像データ、音声データや、連動サーバ３０から受信したウェブページなどのコンテンツデータを出力する。映像データは、動画や静止画、テキストなどの画像データ、及び、音声データが含まれるコンテンツデータである。また、映像メディアとしての情報記録媒体には、光学記録媒体、磁気記録媒体または電子媒体を使用することができ、例えば、ＤＶＤ１０のほか、ＳＤ（Secure Digital）カードなどのメモリカードや、ＣＤ−ＲＯＭ（Compact Disk Read Only Memory ）などを使用してもよい。ここでは、ＤＶＤ１０には、映像データとして映像１、映像２、映像３、特別映像Ａ、特別映像Ｂが記録されており、さらに、バナー広告等の画像データなども記録されている。特別映像Ａ、特別映像Ｂは、他の映像データとはリンク（つながり）がない映像データであり、連動サーバ３０からの指示を受けるまでの通常状態においては視聴ができないように保護（ロック）されている。
【００１５】
ユーザは映像を視聴するために、クライアント端末２０にＤＶＤ１０をセットし、マルチメディアプレイヤーを起動させると、クライアント端末２０から連動サーバ３０へ起動が通知される（ステップＳ１１０）。連動サーバ３０は、クライアント端末２０を一意に特定するための固有ＩＤが割り当てられていない場合にはこれを割り当て、クライアント端末２０へ通知する（ステップＳ１１５）。クライアント端末２０が既に固有ＩＤを保持している場合には、その保持している固有ＩＤを引き続き使用する。固有ＩＤは、例えば、文字列により示される識別子である。
【００１６】
ユーザは、マルチメディアプレイヤーの映像視聴画面により、ＤＶＤ１０から読み出された映像データを視聴する（ステップＳ１２０）。マルチメディアプレイヤーの映像視聴画面には、ＤＶＤ１０から読み出した映像データが再生されるが、ＤＶＤ１０から読み出した、あるいは、連動サーバ３０から受信した画像データに基づいたバナー広告も表示される。クライアント端末２０は、映像データの視聴状況を示す視聴状況データを固有ＩＤとともに逐次連動サーバ３０へ送信し（ステップＳ１２５）、連動サーバ３０は、受信した視聴状況データと固有ＩＤとを対応づけて自身の備える記憶手段に視聴ログとして記憶する（ステップＳ１３０）。視聴状況データには、視聴に関する操作がされた日時、映像のタイトル・チャプタ、チャプタ内の位置、操作の情報が含まれる。操作の情報には、早送り、巻き戻し、一時停止などがあるが、バナーやリンクのクリックなどの操作を示す場合もある。
【００１７】
図２は、メディア再生システムにおける特定映像視聴許可の動作概要を示す図である。
連動サーバ３０は、図１に示す手順により、視聴ログを蓄積している（ステップＳ２１０）。連動サーバ３０は、蓄積した視聴ログを解析し（ステップＳ２１５）、クライアント端末２０が、特定映像を視聴可能とする特定の条件を満たしているか否かの表示判定を行う（ステップＳ２２０）。特定映像の視聴を可能とする特定条件を満たしていると判断した場合、その特定映像をメニューに表示し、視聴対象として選択可能にするよう指示する、マルチメディアプレイヤーのユーザインタフェース変更要求をクライアント端末２０へ送信する（ステップＳ２２５）。例えば、映像１、２、３の全てが再生され、特別映像Ａ、Ｂが視聴可能な特定映像と判断されると、映像視聴画面において特別映像Ａ、Ｂのタイトル等を、ユーザにより再生要求が可能な映像データとしメニューに表示し、視聴対象として選択可能とするよう指示する。
【００１８】
このように、クライアント端末２０において映像の視聴状況がある特定の条件を満たした場合、パスワードやキーワードによる認証を行うことなく、ユーザが利用できなかった特定映像が視聴可能となる。
なお、視聴不可であった映像を視聴可能とするだけでなく、特定の条件に達した場合に、視聴可能であった映像を視聴不可とすることも可能である。
【００１９】
図３は、メディア再生システムにおける特定ウェブページへのアクセス許可の動作概要を示す図である。ここでは、マルチメディアプレイヤーから遷移可能なウェブページが要求された際に、連動サーバ３０に蓄積されている視聴ログを解析することで、要求されたウェブページが閲覧可能なユーザであるか否かを判断する。これにより、視聴状況が特定条件を満たしているユーザのみに要求されたウェブページの閲覧を許可し、満たしていないユーザには閲覧を規制する。
【００２０】
連動サーバ３０は、図１に示す手順により、視聴ログを蓄積している。クライアント端末２０が、ユーザから、マルチメディアプレイヤーの映像視聴画面に表示している画像内にリンクとして含まれているＵＲＩ（Universal Resource Identifier）にアクセスするための指示の入力を受ける。これは、ユーザが、ウェブページ内のリンクやバナー広告をクリックすることにより行われる。クライアント端末２０は、連動サーバ３０へリンク先のＵＲＩと固有ＩＤを送信し、ウェブページを要求する（ステップＳ３１０）。
【００２１】
連動サーバ３０は、クライアント端末２０から受信した固有ＩＤに対応した視聴ログを解析し（ステップＳ３１５）、視聴状況が、要求されたウェブページの閲覧を許可するための特定の条件を満たしているか否かを判定する（ステップＳ３２０）。特定条件を満たしている場合には、要求されたウェブページのウェブ画像データをクライアント端末２０に送信する（ステップＳ３２５）。一方、条件を満たしていない場合には、表示不可のエラーを通知するウェブページか、あるいは、不特定多数用のウェブページのウェブ画像データをクライアント端末２０に送信する（ステップＳ３３０）。
【００２２】
図４は、メディア再生システムにおける広告・記事選択の動作概要を示す図である。ここでは、ルチメディアプレイヤーから遷移可能なウェブページが要求された際に、連動サーバ３０に蓄積されている視聴ログを解析することで、視聴状況に応じた、ユーザに最適な広告や記事を選択して提供する。
【００２３】
連動サーバ３０は、図１に示す手順により、視聴ログを蓄積している。クライアント端末２０が、ユーザから、マルチメディアプレイヤーの映像視聴画面に表示している画像内にリンクとして含まれているＵＲＩにアクセスするための指示の入力を受ける。これにより、クライアント端末２０は、連動サーバ３０へＵＲＩと固有ＩＤを送信する（ステップＳ４１０）。
【００２４】
連動サーバ３０は、クライアント端末２０から受信した固有ＩＤに対応した視聴ログを解析し（ステップＳ４１５）、視聴状況に対応した広告や記事を判別する（ステップＳ４２０）。そして、要求されたウェブページ内に、判別された広告や記事のデータを埋め込んで表示するためのウェブ画像データを生成してクライアント端末２０に送信する（ステップＳ４２５）。
これにより、ウェブページの表示要求までの視聴状況に応じて、提供する広告や記事の内容が変化するため、ユーザの視聴状況に合わせた、より効果的な広告や記事を提供することが可能となる。
【００２５】
図５は、クライアント端末２０の構成を示すブロック図であり、本発明と関係する機能ブロックのみ抽出して示してある。
クライアント端末２０は、例えば、パーソナルコンピュータなどのコンピュータ端末である。クライアント端末２０は、制御手段２１、入力手段２２、通知手段２３、出力制御手段２４、記憶手段２５、読出し手段２６、通信手段２７、出力手段２８を備える。
【００２６】
制御手段２１は、ＣＰＵ（central processing unit）及び各種メモリから構成され、各部の制御や、データの一時的な格納や、データの転送等を行う。入力手段２２は、キーボードやマウスなどであり、ユーザが入力した情報を取得する。記憶手段２５は、固有ＩＤなどの各種データを記憶する。読出し手段２６は、ＤＶＤ１０からデータを読み出す。通信手段２７は、ネットワークを介して連動サーバ３０との間でデータの送受信を行う。出力手段２８は、ＣＲＴ（cathode ray tube）やＬＣＤ（liquid crystal display）などのディスプレイや、音声を出力するスピーカーである。
【００２７】
通知手段２３は、マルチメディアプレイヤーのソフトウェアにより実現され、マルチメディアプレイヤーの起動時に、連動サーバ３０へ固有ＩＤを通知したり、映像データの視聴に関する情報を示す視聴状況データを連動サーバ３０へ送信したりする。また、通知手段２３は、映像データや画像データ内に埋め込まれているＵＲＬへのアクセス指示が入力された場合に、連動サーバ３０へ固有ＩＤとＵＲＬを通知し、ウェブページを要求する。視聴状況データには、視聴に関する操作がされた日時、ＤＶＤ１０のラベル名、操作、操作が行われたチャプタ内の位置（映像の場合）、視聴中タイトル、視聴中チャプタ、操作の対象となったファイル（バナー広告の場合）などの情報が含まれる。チャプタ内の位置とは、映像の始めを０％、映像の終わりを１００％とした場合のパーセンテージにより示すことができ、映像の始めと終わりの間は任意の区切りとすることができる。また、操作の情報は、映像の早送り、巻き戻し、一時停止、あるいは、バナーやリンクのクリックなどを示す。
【００２８】
出力制御手段２４は、マルチメディアプレイヤーのソフトウェアにより実現され、ＤＶＤ１０内の映像データのうち視聴可能な映像データのタイトル等の一覧を表示するとともに、一覧の中から選択された映像データや、ＤＶＤ１０から読み出した、あるいは、連動サーバ３０から受信した画像データを出力するよう出力手段２８に指示する。
【００２９】
図６は、連動サーバ３０の構成を示すブロック図であり、本発明と関係する機能ブロックのみ抽出して示してある。連動サーバ３０は、制御手段３１、通信手段３２、判断手段３３、書込み手段３４、記憶手段３５、指示手段３６、配信手段３７を備える。ここでは、連動サーバ３０は１台のサーバによって実現する例を示しているが、複数のサーバによって実現してもよい。
【００３０】
制御手段３１は、ＣＰＵ及び各種メモリから構成され、各部の制御や、データの一時的な格納や、データの転送等を行う。通信手段３２は、ネットワークを介してクライアント端末２０との間でデータの送受信を行う。記憶手段３５は、視聴ログ、メディアリスト、判定データ、ウェブ画像データ、広告や記事のデータを記憶する。視聴ログは、クライアント端末２０から受信した視聴状況データからなる。メディアリストは、対象メディア、すなわち、ＤＶＤ１０のラベル名と、そのＤＶＤ１０内の映像のタイトル及びチャプタとを対応付けた情報を示す。判定データは、特定映像の視聴許可条件、ウェブページアクセス許可条件、広告・記事等の選択条件、映像やウェブページの視聴・表示方法などを示す情報である。
【００３１】
判断手段３３は、視聴ログで示される視聴状況と、判定データとを参照して、特定映像の視聴許可の判断、ウェブページへのアクセス許可の判断、広告・記事等の選択を行う。また、判断手段３３は、固有ＩＤの割り当てを行う。書込み手段３４は、クライアント端末２０から受信した視聴状況データを記憶手段３５に書き込む。指示手段３６は、判断手段３３の判断に応じて、特定映像の視聴を許可するようクライアント端末２０へ指示する。配信手段３７は、判断手段３３の判断に応じて、アクセスを許可したウェブページのウェブ画像データや、選択された広告・記事等を埋め込んだウェブページのウェブ画像データをクライアント端末２０へ送信する。
【００３２】
なお、本実施の形態では、クライアント端末２０と連動サーバ３０間の通信はＨＴＴＰ（Hypertext Transfer Protocol）プロトコルにて行う。通常のＨＴＴＰプロトコルにより取得できるログ情報を視聴ログの分析材料として利用することも可能である。また、クライアント端末２０と連動サーバ３０間で送受信される視聴状況データは、暗号化することにより、実際は視聴していないにもかかわらず、あたかも視聴したかのような不正な情報操作はできないようにすることができる。
【００３３】
図７は、判定データの例を示す図である。同図においては、ラベル名「ＸＸＸＸＸ」のＤＶＤ１０について、映像１〜３が視聴済みである場合、特別映像Ａの視聴を許可、ウェブページの閲覧許可、ウェブページ広告には、映像１〜３全体の内容を網羅した広告を選択すること、映像１及び２のみ視聴済みである場合、特別映像Ａは視聴不可、ウェブページの閲覧許可、ウェブページ広告には、映像１及び２の内容を網羅した広告を選択すること、映像１のみが視聴済みである場合、特別映像Ａは視聴不可、ウェブページの閲覧不可、ウェブページ広告には、映像１の内容に特化した広告を選択すること、が示されている。
【００３４】
なお、映像１の５０％を視聴した場合など、ある映像について視聴した割合を判断の条件とすることも可能である。
また、さらに、時間帯、日にち、曜日による表示によって、視聴可能な特定映像やウェブページ、選択すべき広告や記事が変わるように設定してもよい。例えば、朝の所定の時間帯は、映像Ａを視聴可能、映像Ｂを視聴不可とし、夜の所定の時間帯は、映像Ｂを視聴可能、映像Ａを視聴不可としたり、月曜〜金曜の場合、広告Ａを選択し、土曜、日曜の場合、広告Ｂを選択するようにしたりしてもよい。
【００３５】
次に、メディア再生システムの詳細な動作フローについて説明する。
連動サーバ３０の記憶手段３５には、予めメディアリスト、判定データ、ウェブページの画像データ、広告や記事のデータが登録されているものとする。
【００３６】
図８は、メディア再生システムにおける視聴データ保存処理フローを示す図である。
ユーザは、クライアント端末２０にＤＶＤ１０をセットし、入力手段２２を用いてマルチメディアプレイヤーの起動指示を入力する。これにより、ＣＰＵがＤＶＤ１０内またはクライアント端末２０のメモリ内に保持されているマルチメディアプレイヤーのソフトウェアを起動し、通知手段２３及び出力制御手段２４を動作させる（ステップＳ５１０）。通知手段２３は、記憶手段２５内に固有ＩＤが保持されていればこれを読み出し、セットされたＤＶＤ１０から読出し手段２６が読み出したラベル名とともに起動通知データとして連動サーバ３０に送信する。このとき、記憶手段２５内に固有ＩＤが保持されていなければ、固有ＩＤのデータは空で起動通知データを送信する（ステップＳ５１５）。
【００３７】
連動サーバ３０の判断手段３３は、クライアント端末２０が送信した起動通知データを受信すると（ステップＳ５２０）、起動通知データ内に固有ＩＤが含まれているかを判断する（ステップＳ５２５）。判断手段３３は、固有ＩＤが含まれていない場合にはこれを割り当て（ステップＳ５３０）、割り当てた固有ＩＤ、または、起動通知データ内に含まれていた固有ＩＤを設定した認証情報をクライアント端末２０へ送信する（ステップＳ５３５）。なお、期間による認証を行うことも可能である。
【００３８】
クライアント端末２０の出力制御手段２４は、連動サーバ３０から送信された認証情報を受信すると（ステップＳ５４０）、受信した認証情報により認証を行い、認証が成功した場合に映像視聴画面をディスプレイに表示させる。映像視聴画面内には、ＤＶＤ１０内に含まれる視聴可能な映像データのタイトルの一覧を表示する選択領域、映像やウェブページを表示する領域（以下、「映像表示領域」）、バナー広告などの画像データである広告データを表示する領域（以下、「広告表示領域」）、操作ボタン等が含まれる。出力制御手段２４は、ＤＶＤ１０内に記録されている、ロックされていない映像データを特定し、特定した映像データのタイトルを一覧表示するためのメニュー画面を選択領域へ出力するよう出力手段２８へ指示する。操作ボタンには、再生、一時停止、早送り、巻き戻しなどの操作を行うためのボタンなどからなる。また、広告表示領域には、読出し手段２６がＤＶＤ１０から読み出した広告データや連動サーバ３０から受信した広告データが表示される。
【００３９】
ユーザは、入力手段２２により、映像視聴画面内の選択領域に表示されている映像データのタイトル一覧の中から視聴したい映像データのタイトルを選択し、再生ボタンをクリックする。読出し手段２６は、選択されたタイトルに対応した映像データをＤＶＤ１０から読み出し、出力制御手段２４は、読出し手段２６が読み出した映像データの出力を出力手段２８へ指示する。出力手段２８は、指示された映像データを映像表示領域に表示するとともに、音声をスピーカーから出力する（ステップＳ５４５）。通知手段２３は、選択された映像が再生されたことを示す視聴状況データを生成して固有ＩＤとともに連動サーバ３０へ送信する（ステップＳ５５０）。視聴状況データには、再生の操作がされた日時、ＤＶＤ１０のラベル名、再生を示す操作、再生されたチャプタ内の位置、視聴中の映像のタイトル、視聴中の映像のチャプタなどの情報が含まれる。
【００４０】
読出し手段２６は、ユーザが入力手段２２により早送り、巻き戻し、一時停止などの操作ボタンを選択した場合、その操作ボタンに従って、現在出力している映像の早送り、巻き戻し、一時停止などを行って出力手段２８に出力させる。通知手段２３は、映像の再生・終了が選択された場合、停止ボタンが選択された場合、早送り、巻き戻しなどのボタンが選択された場合に、視聴状況データを生成して固有ＩＤとともに連動サーバ３０へ送信する。これにより、タイトルの切り替え、チャプタの切り替え、映像の終了または停止、早送り、巻き戻しなどの指示が入力されたタイミングで視聴状況データが連動サーバ３０へ通知される。なお、映像視聴画面に表示される広告やメニュー等のクリック操作が行われた場合に、視聴状況データを送信してもよい。また、任意の一定時間毎に視聴状況データを送信してもよい。
視聴状況データには、操作が行われた日時、ラベル名、タイトル情報、チャプタ情報、操作が行われた位置（映像の場合）、選択された広告データを示す対象ファイル（広告等の場合）、視聴中の映像のタイトル・チャプタなどの情報が含まれる。
【００４１】
連動サーバ３０の書込み手段３４は、クライアント端末２０から送信された視聴状況データと固有ＩＤとを受信すると（ステップＳ５５５）、この受信した視聴状況データと固有ＩＤとを記憶手段３５に書き込む（ステップＳ５６０）。これにより、固有ＩＤと紐付けられた視聴ログが記憶手段３５に保持される。
【００４２】
図９は、メディア再生システムにおける特定映像の視聴許可処理フローを示す図である。
図８に示すように、クライアント端末２０において映像が再生され（ステップＳ６１０）、タイトルの切り替え、チャプタの切り替え、メニュー、広告等のクリック等が行われると、視聴状況データと固有ＩＤとが連動サーバ３０へ送信される（ステップＳ６１５）。連動サーバ３０の書込み手段３４は、クライアント端末２０から送信された視聴状況データ及び固有ＩＤを受信すると、これらの受信したデータを記憶手段３５に書き込む（ステップＳ６２０）。
【００４３】
連動サーバ３０の判断手段３３は、クライアント端末２０から受信した固有ＩＤに対応した視聴状況データを記憶手段３５内の視聴ログから読み出す（ステップＳ６２５）。判断手段３３は、読み出した視聴状況データを分析し、分析した結果得られた視聴状況と記憶手段３５内の判定データとを比較することにより、視聴状況データで示される視聴状況が特定映像の視聴を許可する条件を満たしているか否か判断するとともに、許可する場合にはその特定映像を決定する（ステップＳ６３０）。
【００４４】
ステップＳ６３０においては、以下のように、視聴状況データの分析結果と、判定データにより示される条件とが照合される。
（１）指定された映像をすべてまで見たか否か。これは、指定した映像を再生した視聴ログ（視聴状況データ）が存在するか否かにより判断される。
（２）指定した映像を早送り、巻き戻し、停止等せずに最後まで見たか否か。これは、事前に登録済みの映像データの尺の長さと、視聴ログ（視聴状況データ）で示される再生時間を比較し、一致、もしくは、ある一定時間範囲内にあるかにより判断される。
（３）指定した映像をどこまでみたか。これは、任意の映像に対し、視聴状況を０％（映像開始時）〜１００％（映像終了時）の間も視聴状況データとして取得している場合、特定の位置まで再生されたかを判断する。例えば、映像の半分まで見たかは、０％〜５０％を再生した旨の視聴ログがあるか否かにより判断することができる。
（４）指定した映像をどの順番で視聴したか。これは、任意の映像をどの順番で視聴したか、また、メニュー等の操作も含めて、どういった操作によって視聴を行ったかを特定することにより判断する。
【００４５】
判断手段３３は、特定映像の視聴を許可すべき条件を満たしていないと判断した場合（ステップＳ６３５：条件を満たさない）、処理を終了する（ステップＳ６４０）。
一方、特定映像の視聴を許可すべき所定の条件を満たしていると判断した場合（ステップＳ６３５：条件を満たす）、指示手段３６は、マルチメディアプレイヤーのユーザインタフェース変更指示として、視聴を許可する特定映像を特定する許可映像特定情報を少なくとも設定した特定映像用情報をクライアント端末２０へ送信する（ステップＳ６４５）。つまり、特定映像用情報は、視聴が許可された（ロックを解除すべき）特定映像を映像視聴画面の選択領域メニュー上から選択可能なように表示し、選択された場合には再生できるようにＧＵＩ（グラフィック・ユーザ・インタフェース）を変更する指示である。なお、視聴が許可された特定映像がＤＶＤ１０ではなく、ネットワークを介して接続されるサーバなどに保持されている場合、そのＵＲＬを特定映像用情報に設定してもよい。
【００４６】
クライアント端末２０の出力制御手段２４は、連動サーバ３０から送信された特定映像用情報を受信すると（ステップＳ６５０）、受信した特定映像用情報を解析し（ステップＳ６５５）、許可映像特定情報により特定される特定映像の映像データを取得する（ステップＳ６６０）。特定される特定映像データがＤＶＤ１０内に記録されている場合には、読出し手段２６により読み出しを行うが、特定される特定映像データがネットワークを介して接続されるサーバなどに保持されている場合は、特定映像用情報に設定されているＵＲＬを用いてアクセスし、当該特定映像データを取得する。出力制御手段２４は、読み出した特定映像データを選択可能なように、当該特定映像データのタイトルを選択領域に表示する（ステップＳ６６５）。
【００４７】
これにより、ユーザが、映像視聴画面内の選択領域に表示されている特定映像データのタイトルを選択し、再生ボタンをクリックすると、出力制御手段２４は、選択されたタイトルに対応した特定映像データの出力を出力手段２８へ指示する。出力手段２８は、指示された特定映像データを用いて映像を映像表示領域に表示するとともに、音声をスピーカーから出力する。
【００４８】
図１０は、メディア再生システムにおける特定ウェブページの閲覧処理フローを示す図である。
ユーザは、クライアント端末２０の入力手段２２により、現在、映像視聴画面の広告表示領域に表示されているバナー広告や、映像表示領域に表示している画像に埋め込まれているリンクをクリックする（ステップＳ７１０）。通知手段２３は、バナー広告にリンクされているＵＲＬや、クリックされたリンクのＵＲＬを用いて、ｈｔｔｐあるいはｈｔｔｐｓリクエストを連動サーバ３０へ送信する（ステップＳ７１５）。このｈｔｔｐ・ｈｔｔｐｓリクエストには、固有ＩＤが設定される。
【００４９】
連動サーバ３０の判断手段３３は、クライアント端末２０から送信されたｈｔｔｐ・ｈｔｔｐｓリクエストを受信すると、当該ｈｔｔｐ・ｈｔｔｐｓリクエスト内に含まれる固有ＩＤに対応した視聴状況データを記憶手段３５内の視聴ログから読み出す（ステップＳ７２０）。判断手段３３は、読み出した視聴状況データで示される視聴状況と、記憶手段３５内の判定データとを比較することにより、視聴状況データで示される視聴状況が要求されたＵＲＬで特定されるウェブページの閲覧を許可する条件を満たしているか否かを判断する（ステップＳ７２５）。条件を満たしている場合には、さらに、その表示方法の情報を読み出す。
【００５０】
判断手段３３が、要求されたウェブページの閲覧を許可すべき条件を満たしていないと判断した場合（ステップＳ７３０：条件を満たさない）、配信手段３７は、エラーを通知する内容のウェブページであるエラーページのウェブ画像データを記憶手段３５から読み出し、当該ウェブ画像データをクライアント端末２０へ送信する（ステップＳ７３５）。クライアント端末２０の出力制御手段２４は、連動サーバ３０から送信されたウェブ画像データを受信すると、このウェブ画像データの出力を出力手段２８へ指示する。これにより、エラーページが映像視聴画面内の映像表示領域に表示される。
【００５１】
一方、判断手段３３が、要求されたウェブページの閲覧を許可すべき条件を満たしていると判断した場合（ステップＳ７３０：条件を満たす）、配信手段３７は、要求されたウェブページのウェブ画像データを記憶手段３５から読み出す。配信手段３７は、ステップＳ７２５において読み出した表示方法に応じて、ウェブ画像データを加工して新たなウェブ画像データを生成し、生成したウェブ画像データをクライアント端末２０へ送信する（ステップＳ７４０）。クライアント端末２０の出力制御手段２４は、連動サーバ３０から送信されたウェブ画像データを受信すると、このウェブ画像データの出力を出力手段２８へ指示する。これにより、要求したウェブページが映像視聴画面内の映像表示領域に表示される。
【００５２】
図１１は、メディア再生システムにおける広告・記事選択処理フローを示す図である。
ユーザは、クライアント端末２０の入力手段２２により、現在、映像視聴画面の広告表示領域に表示されているバナー広告や、映像表示領域に表示している画像に埋め込まれているリンクをクリックする（ステップＳ８１０）。通知手段２３は、バナー広告にリンクされているＵＲＬや、クリックされたリンクのＵＲＬを用いて、ｈｔｔｐあるいはｈｔｔｐｓリクエストを連動サーバ３０へ送信する（ステップＳ８１５）。このｈｔｔｐ・ｈｔｔｐｓリクエストには、固有ＩＤが設定される。
【００５３】
連動サーバ３０の判断手段３３は、クライアント端末２０から送信されたｈｔｔｐ・ｈｔｔｐｓリクエストを受信すると、当該ｈｔｔｐ・ｈｔｔｐｓリクエスト内に含まれる固有ＩＤに対応した視聴状況データを記憶手段３５内の視聴ログから読み出す（ステップＳ８２０）。判断手段３３は、読み出した視聴状況データで示される視聴状況と、記憶手段３５内の判定データとを比較することにより、表示すべき広告や記事とその表示方法を特定する（ステップＳ８２５）。配信手段３７は、記憶手段３５から、要求されたウェブページのウェブ画像データを読み出すとともに、判断手段３３が表示すべきと判断した広告あるいは記事のデータを読み出す。配信手段３７は、要求されたウェブページ内に、特定した表示方法により、読み出した広告あるいは記事を表示するためのウェブ画像データを生成し、クライアント端末２０へ送信する（ステップＳ８３０）。クライアント端末２０の出力制御手段２４は、連動サーバ３０からウェブ画像データを受信すると、このウェブ画像データの出力を出力手段２８へ指示する。これにより、視聴状況に応じた広告や記事が埋め込まれたウェブページが映像視聴画面内の映像表示領域に表示される。
【００５４】
図１２は、特定映像の視聴が許可された場合の映像視聴画面の表示例を示す。同図において、映像視聴画面の選択領域のメニューに、視聴が許可された特定映像のタイトルが追加して表示されている。
【００５５】
図１３は、映像が連続ドラマやアニメである場合の応用例を示す。例えば、連続ドラマやアニメ等の１話分以上視聴した場合に、当該ドラマやアニメに関する情報を提供する特定のウェブページにアクセス可能となり、このウェブページには、視聴状況に応じた記事や広告、例えば、その時点で視聴が終わっているストーリーに登場してきた人物の紹介や、続きの話の予告、映像に登場してきた店や商品の広告などが表示される。
【００５６】
図１４は、本実施の形態のメディア再生システムを電子商取引（以下、「ＥＣ」と記載）に応用した場合の例を示す。ここでは、一般のユーザが、直接、商品を購買するためのＥＣサイトにアクセスした場合、連動サーバ３０は、販売料金を通常料金としたサイトを当該ユーザの端末に表示する。一方、クライアント端末２０により、宣伝用のＤＶＤ１０のコンテンツ、例えば、詳細に商品を紹介する商品説明の映像を視聴した後、バナー広告をクリックすることによりＥＣサイトにアクセスした場合、連動サーバ３０は、販売価格を割引料金としたサイトをクライアント端末２０に表示させることができる。
【００５７】
図１５は、本実施の形態のメディア再生システムを入場チケットなどの代替として使用した場合の応用例を示す。ここでは、あるイベントの参加希望者、例えば、就職活動のための会社見学などの参加希望者へ、会社紹介の映像データが記録されたＤＶＤ１０を配布する。参加者は、クライアント端末２０により、ＤＶＤ１０内の会社紹介の映像データを視聴すると、視聴ログが連動サーバ３０に蓄積される。固有ＩＤは参加希望者の参加申し込み番号として使用することができる。連動サーバ３０は、蓄積された視聴ログにより、全ての会社紹介の映像データを視聴した参加希望者のクライアント端末２０へのみ参加登録のためのウェブページへのアクセスを許可し、途中飛ばして見たり、まったく見てない参加希望者、あるいは、参加申し込み番号を不正に作成した参加希望者のクライアント端末２０には、参加登録のためにウェブページへのアクセスを拒否したりすることができる。あるいは、連動サーバ３０が、クライアント端末２０から固有ＩＤが設定された参加登録の情報を受信し、当該固有ＩＤにより特定される視聴ログから、全ての会社紹介の映像データを視聴したか否かを判断することにより、参加可否を決定してもよい。
【００５８】
なお、上記実施形態では視聴不可であった映像を視聴可能する場合について説明したが、特定条件に達したときに、視聴可能であった映像を視聴不可とする場合は、判定データに、視聴不可とするための条件の情報を保持しておく。そして、図９のステップＳ６３０において、連動サーバ３０の判断手段３３が、所定の映像を視聴不可する条件を満たしていると判断した場合、ステップＳ６４５において、指示手段３６は、特定映像用情報に視聴を不可とする映像を特定するための情報を設定してクライアント端末２０へ送信する。これにより、クライアント端末２０は、視聴不可の映像データにロックをかけ、当該映像データのタイトルをメニューから消去する。
【００５９】
また、再生回数の多い、あるいは、少ない映像のタイトルがメニューのより上位にくるよう、映像データのタイトルの表示の順序を変えるよう指示することもできる。この場合、判定データに、メニューの表示方法の情報を保持しておく。図９のステップＳ６３０において、連動サーバ３０の判断手段３３は、視聴ログを参照し、クライアント端末２０から受信した使用状況データで示されるタイトルのＤＶＤ１０について、視聴が多い映像を順に特定する。指示手段３６は、特定映像用情報に視聴が多い映像の順序と、メニューの表示方法（再生回数の多い、あるいは、少ない映像のタイトルを上位に表示）との情報をさらに設定してクライアント端末２０へ送信し、クライアント端末２０は、表示方法に従ってメニューの表示順序を変更する。これにより、お気に入りの映像をメニューの上位に表示したり、まだ視聴されていない映像をメニューの上位に表示したりすることができる。
【００６０】
また、連動サーバ３０の記憶手段３５に保持されている視聴ログから、類似した視聴状況である固有ＩＤを特定してグルーピングすることができる。そして、連動サーバ３０の判断手段３３は、クライアント端末２０から受信した固有ＩＤに対応した視聴状況データの代わりに、クライアント端末２０から受信した固有ＩＤと同じグルーピングの他の固有ＩＤの視聴状況データを用い、視聴状況を分析してもよい。
【００６１】
上述のクライアント端末２０及び連動サーバ３０は、内部にコンピュータシステムを有している。そして、上述したクライアント端末２０の通知手段２３、出力制御手段２４、及び、読出し手段２６、ならびに、連動サーバ３０の判断手段３３、書込み手段３４、指示手段３６及び配信手段３７の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＯＳや周辺機器等のハードウェアを含むものである。
【００６２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【図面の簡単な説明】
【００６３】
【図１】本発明の一実施の形態によるメディア再生システムにおける視聴状況データ蓄積の動作概要を示す図である。
【図２】同実施形態によるメディア再生システムにおける特定映像視聴許可の動作概要を示す図である。
【図３】同実施形態によるメディア再生システムにおける特定ウェブページのアクセス許可の動作概要を示す図である。
【図４】同実施形態によるメディア再生システムにおける広告・記事選択の動作概要を示す図である。
【図５】同実施形態によるクライアント端末の機能ブロック図である。
【図６】同実施形態による連動サーバの機能ブロック図である。
【図７】同実施形態による判定データの設定例を示す図である。
【図８】同実施形態によるメディア再生システムにおける視聴データ保存処理フローを示す図である。
【図９】同実施形態によるメディア再生システムにおける特定映像の視聴許可処理フローを示す図である。
【図１０】同実施形態によるメディア再生システムにおける特定ウェブページの閲覧処理フローを示す図である。
【図１１】同実施形態によるメディア再生システムにおける広告・記事選択処理フローを示す図である。
【図１２】同実施形態による映像視聴画面の表示例を示す図である。
【図１３】同実施形態によるメディア再生システムの応用例を示す図である。
【図１４】同実施形態によるメディア再生システムの応用例を示す図である。
【図１５】同実施形態によるメディア再生システムの応用例を示す図である。
【図１６】従来のメディア再生システムを説明するための図である。
【符号の説明】
【００６４】
１０…ＤＶＤ
２０…クライアント端末
２１、３１…制御手段
２２…入力手段
２３…通知手段
２４…出力制御手段
２５、３５…記憶手段
２６…読出し手段
２７、３２…通信手段
２８…出力手段
３０…連動サーバ
３３…判断手段
３４…書込み手段
３６…指示手段
３７…配信手段
【図１】
2008289042.tif 000003
【図２】
2008289042.tif 000004
【図３】
2008289042.tif 000005
【図４】
2008289042.tif 000006
【図５】
2008289042.tif 000007
【図６】
2008289042.tif 000008
【図７】
2008289042.tif 000009
【図８】
2008289042.tif 000010
【図９】
2008289042.tif 000011
【図１０】
2008289042.tif 000012
【図１１】
2008289042.tif 000013
【図１２】
2008289042.tif 000014
【図１３】
2008289042.tif 000015
【図１４】
2008289042.tif 000016
【図１５】
2008289042.tif 000017
【図１６】
2008289042.tif 000018